【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
台紙にラベルが貼付されたラベル用紙を搬送させながらラベルに印字を施すとともに、ラベル用紙の搬送経路を屈曲させ、該屈曲部でラベルを台紙から剥離させるにあたり、
前記ラベル用紙に対し、ラベル頭出し位置から印字を開始し、ラベル用紙を、ラベルの搬送方向先端部が前記搬送経路の前記屈曲部の下流側に達するまで送り込んだ状態でラベル用紙の搬送を一旦停止するとともに、この状態を所定時間保持し、この後、ラベル用紙の搬送を再開し、ラベル用紙に対する印字を行うことを特徴とするラベル用紙のラベル剥離方法。
【請求項２】
台紙にラベルが貼付されたラベル用紙を搬送させながらラベルに印字を施すとともに、ラベル用紙の搬送経路を屈曲させ、該屈曲部でラベルを台紙から剥離させるにあたり、
前記ラベル用紙を、ラベルの搬送方向先端部が前記搬送経路の前記屈曲部の下流側に達するまで送り込み、次いで、ラベル用紙を搬送方向上流側のラベル頭出し位置まで逆送させる動作を少なくとも１回行い、この後、ラベル用紙を搬送させながらラベル用紙に対する印字を行うとともに、ラベルを剥離することを特徴とするラベル用紙のラベル剥離方法。
【請求項３】
台紙にラベルが貼付されたラベル用紙の搬送経路と、
この搬送経路の途中に配設され、前記ラベルに印字を施す印字機構と、
前記搬送経路における前記印字機構の下流側に配設され、搬送経路を屈曲させることにより、前記ラベルを前記台紙から剥離させる剥離機構と、
前記ラベル用紙を、前記搬送経路に沿って搬送させる用紙搬送機構とを備えたラベルプリンタにおいて、
前記ラベル用紙に対し、ラベル頭出し位置から印字を開始し、ラベル用紙を、前記ラベルの先端部が前記剥離機構の下流側に達するまで送り込み、この段階で、ラベル用紙の搬送を一旦停止させ、この後、ラベル用紙の搬送を再開し、ラベル用紙に対する印字を行うように、前記用紙搬送機構および前記印字機構を制御する制御手段を有することを特徴とするラベルプリンタ。
【請求項４】
台紙にラベルが貼付されたラベル用紙の搬送経路と、
この搬送経路の途中に配設され、前記ラベルに印字を施す印字機構と、
前記搬送経路における前記印字機構の下流側に配設され、搬送経路を屈曲させることにより、前記ラベルを前記台紙から剥離させる剥離機構と、
前記ラベル用紙を、前記搬送経路に沿って搬送させる用紙搬送機構とを備えたラベルプリンタにおいて、
前記ラベル用紙を、前記ラベルの先端部が前記剥離機構の下流側に達するまで送り込み、次いで、ラベル用紙を搬送方向上流側のラベル頭出し位置まで逆送させる動作を少なくとも１回行い、この後、ラベル用紙を搬送させながらラベル用紙に対する印字を行うように、前記用紙搬送機構および前記印字機構を制御する制御手段を有することを特徴とするラベルプリンタ。
【手続補正２】
【補正対象書類名】明細書
【補正対象項目名】０００９
【補正方法】変更
【補正の内容】
【０００９】
本発明のラベル用紙のラベル剥離方法は、台紙にラベルが貼付されたラベル用紙を搬送させながらラベルに印字を施すとともに、ラベル用紙の搬送経路を屈曲させ、該屈曲部でラベルを台紙から剥離させるにあたり、ラベル用紙に対し、ラベル頭出し位置から印字を開始し、ラベル用紙を、ラベルの搬送方向先端部が搬送経路の屈曲部の下流側に達するまで送り込んだ状態でラベル用紙の搬送を一旦停止するとともに、この状態を所定時間保持し、この後、ラベル用紙の搬送を再開し、ラベル用紙に対する印字を行うことを特徴としている。
【手続補正３】
【補正対象書類名】明細書
【補正対象項目名】００１０
【補正方法】変更
【補正の内容】
【００１０】
上記ラベル剥離方法によれば、ラベル頭出し位置から印字を開始し、ラベル用紙を、ラベルの搬送方向先端部のみを搬送経路の屈曲部よりも下流側に送り込むと、通常は、その先端部が剛性によって屈曲することなく台紙から剥離する。このようにラベルは予備剥離されるが、粘着力が強いなどの理由でラベルが台紙から剥離しにくい状態であっても、予備剥離させる状態、すなわちラベルの搬送方向先端部のみが搬送経路の屈曲部よりも下流側に送り込まれた状態が所定時間継続するので、ラベルの先端部が次第に台紙から剥離していく現象を生じさせることができる。このようにラベルに予備剥離を生じさせた後に、ラベル用紙の搬送を再開し、搬送とともに印字を行うことにより、予備剥離させられたラベルは確実に台紙から剥離する。
【手続補正４】
【補正対象書類名】明細書
【補正対象項目名】００１１
【補正方法】変更
【補正の内容】
【００１１】
また、本発明のラベル用紙のラベル剥離方法は、台紙にラベルが貼付されたラベル用紙を搬送させながらラベルに印字を施すとともに、ラベル用紙の搬送経路を屈曲させ、該屈曲部でラベルを台紙から剥離させるにあたり、ラベル用紙を、ラベルの搬送方向先端部が搬送経路の屈曲部の下流側に達するまで送り込み、次いで、ラベル用紙を搬送方向上流側のラベル頭出し位置まで逆送させる動作を少なくとも１回行い、この後、ラベル用紙を搬送させながらラベル用紙に対する印字を行うとともに、ラベルを剥離することを特徴としている。
【手続補正５】
【補正対象書類名】明細書
【補正対象項目名】００１２
【補正方法】変更
【補正の内容】
【００１２】
このラベル剥離方法は、ラベルの搬送方向先端部のみを搬送経路の屈曲部の下流側に一旦送り込んでから上流側のラベル頭出し位置まで逆送させ、この動作を最低１回、好ましくは数回行ってから、ラベル用紙を搬送させながらラベル用紙に対する印字を行うとともに、ラベルを剥離するものである。ラベルの先端部を屈曲部から下流側に送り込んでから逆送させ、次いで正規の搬送を開始するまでの一連の動作により、先端部を台紙から剥離させる予備剥離を確実に達成させることができ、したがって、後の正規のラベル剥離動作時において、ラベルは確実に台紙から剥離する。
【手続補正６】
【補正対象書類名】明細書
【補正対象項目名】００１３
【補正方法】変更
【補正の内容】
【００１３】
次に、本発明のラベルプリンタは、上記ラベル剥離方法のうちの前者方法を実現するのに好適なもので、台紙にラベルが貼付されたラベル用紙の搬送経路と、この搬送経路の途中に配設され、ラベルに印字を施す印字機構と、搬送経路における印字機構の下流側に配設され、搬送経路を屈曲させることにより、ラベルを台紙から剥離させる剥離機構と、ラベル用紙を、搬送経路に沿って搬送させる用紙搬送機構とを備えたラベルプリンタにおいて、ラベル用紙に対し、ラベル頭出し位置から印字を開始し、ラベル用紙を、ラベルの先端部が剥離機構の下流側に達するまで送り込み、この段階で、ラベル用紙の搬送を一旦停止させ、この後、ラベル用紙の搬送を再開し、ラベル用紙に対する印字を行うように、用紙搬送機構および印字機構を制御する制御手段を有することを特徴としている。
【手続補正７】
【補正対象書類名】明細書
【補正対象項目名】００１４
【補正方法】変更
【補正の内容】
【００１４】
また、上記ラベル剥離方法のうちの後者方法を実現する本発明のラベルプリンタは、台紙にラベルが貼付されたラベル用紙の搬送経路と、この搬送経路の途中に配設され、ラベルに印字を施す印字機構と、搬送経路における印字機構の下流側に配設され、搬送経路を屈曲させることにより、ラベルを台紙から剥離させる剥離機構と、ラベル用紙を、搬送経路に沿って搬送させる用紙搬送機構とを備えたラベルプリンタにおいて、ラベル用紙を、ラベルの先端部が剥離機構の下流側に達するまで送り込み、次いで、ラベル用紙を搬送方向上流側のラベル頭出し位置まで逆送させる動作を少なくとも１回行い、この後、ラベル用紙を搬送させながらラベル用紙に対する印字を行うように、用紙搬送機構および印字機構を制御する制御手段を有することを特徴としている。